(57)【要約】      （修正有）【課題】安全ヘルメットの着用快適性を向上させ、さらに緩衝隔離、吸湿排汗の機能も有する安全ヘルメットの使い捨てアンダーキャップを提供する。【解決手段】帽体２０と、パッド１０と、ゴムバンド３０とを含み、パッドとゴムバンドは首尾接続されて環状を呈し、帽体の縁部に設置される。アンダーキャップを着用する時にゴムバンドの部分は後頭部の位置に置かれ、パッドは額に置かれ、ゴムバンドは帽体の縁部の弛みを調整する役割を果たすことで、アンダーキャップを頭部の適切な位置に固定させる。パッドは吸湿排汗の機能を有し、安全ヘルメットと額との間を隔離する役割も果たす。【選択図】図１
0003222868.tif 000002
【実用新案登録請求の範囲】
【請求項１】
帽体（20）と、パッド（10）と、ゴムバンド（30）とを含み、
前記パッド（10）と前記ゴムバンド（30）は首尾接続されて環状を呈し、前記帽体（20）の縁部に設置されることを特徴とする、安全ヘルメットの使い捨てアンダーキャップ。
【請求項２】
さらに、前記パッド（10）上に縦方向に設置される補強リブ（11）を含むことを特徴とする、請求項１に記載の安全ヘルメットの使い捨てアンダーキャップ。
【請求項３】
さらに、前記パッド（10）の縁部に設置されるシリコーンストリップ（12）を含むことを特徴とする、請求項１に記載の安全ヘルメットの使い捨てアンダーキャップ。
【請求項４】
さらに、前記パッド（10）の両側に設置される下顎ベルト（40）を含むことを特徴とする、請求項１に記載の安全ヘルメットの使い捨てアンダーキャップ。
【請求項５】
前記帽体（20）は親水性不織布材質であることを特徴とする、請求項１〜４のいずれか一項に記載の安全ヘルメットの使い捨てアンダーキャップ。
【請求項６】
前記帽体（20）は単層親水性不織布であり、前記パッド（10）は少なくとも二層の親水性不織布であることを特徴とする、請求項５に記載の安全ヘルメットの使い捨てアンダーキャップ。
【考案の詳細な説明】
【技術分野】
【０００１】
本考案は安全ヘルメットの使い捨てアンダーキャップに関する。
【背景技術】
【０００２】
アンダーキャップを頭部に固定させるために、現在一般的に使用されている安全ヘルメットの使い捨てアンダーキャップはいずれも縁部にゴムバンドを一巻き設置する、ゴムバンドのシワは着用者に不快感を与える、特に安全ヘルメットはより重くて、しばらく着用して取り外すと額にゴムバンドの痕跡が残る。
【考案の概要】
【０００３】
本考案は上述した問題のうちの一つ又はいくつかを解決できる安全ヘルメットの使い捨てアンダーキャップを提供することを目的とする。
【０００４】
本考案の一態様によれば、帽体と、パッドと、ゴムバンドとを含み；パッドとゴムバンドは首尾接続されて環状を呈し、帽体の縁部に設置される安全ヘルメットの使い捨てアンダーキャップを提供する。
【０００５】
本考案は、首尾接続されて環状を呈するパッドとゴムバンドとを帽体の縁部に設置し、アンダーキャップを着用する時にゴムバンドの部分は後頭部の位置に置かれ、パッドは額に置かれ、ゴムバンドは帽体の縁部の弛みを調整する役割を果たすことで、アンダーキャップを頭部の適切な位置に固定させることができる；パッドは安全ヘルメットと額との間を隔離する役割を果たし、安全ヘルメットの着用快適性を向上させルことができる。
【０００６】
いくつかの実施形態において、本考案はさらに縦方向にパッド上に設置される補強リブを含む。パッド上に縦方向のリブを設置することで、アンダーキャップの使用中にパッドが捲縮されることを防ぐことができる。
【０００７】
いくつかの実施形態において、本考案はさらにパッドの縁部に設置されるシリコーンストリップを含む。シリコーンストリップはパッド着用中のパッドと皮膚との摩擦力を増加させ、アンダーキャップの脱落を防ぐことができる。
【０００８】
いくつかの実施形態において、本考案はさらにパッドの両側に設置される下顎ベルトを含む。気温が高い時に安全ヘルメットを着用すると汗がたくさん出てしまい、汗がヘルメットの下顎の結束ベルトに沿って流れ落ちるため、汗じみと異臭が発生することを免れない。アンダーキャップの下部には下顎ベルトが設置され、汗を吸収することができる一方、ヘルメットを複数の人が相互に使用する時の衛生問題を回避することができる。
【０００９】
いくつかの実施形態において、本考案の帽体は親水性不織布材質である。ヘルメットは一般的に非通気性であり、帽体は親水性不織布を採用することで吸湿排汗機能を有する。
【００１０】
いくつかの実施形態において、本考案の帽体は単層親水性不織布であり、パッドは少なくとも二層の親水性不織布である。帽体は層親水性不織布を採用することで通気性をよりよくさせ、パッドは少なくとも二層の親水性不織布を採用することで快適性をよりよくさせる。
【図面の簡単な説明】
【００１１】
【図１】本考案の一実施形態に係る安全ヘルメットの使い捨てアンダーキャップの概略構造図である。
【図２】本考案の他の実施形態に係る安全ヘルメットの使い捨てアンダーキャップの概略構造図である。
【図３】本考案のさらなる実施形態に係る安全ヘルメットの使い捨てアンダーキャップの概略構造図である。
【図４】本考案のさらに他の実施形態に係るヘルメットの使い捨てアンダーキャップの概略構造図である。
【考案を実施するための形態】
【００１２】
以下、図面を参照しながら本考案についてさらに詳しく説明する。
【００１３】
図1は本考案の一実施形態に係る安全ヘルメットの使い捨てアンダーキャップの構造を概略的に示す。
【００１４】
図1に示すように、該安全ヘルメットの使い捨てアンダーキャップは帽体20 と、パッド10と、ゴムバンド30とを含む；パッド10及びゴムバンド30は首尾接続されて環状を呈し、帽体20の縁部に設置される。
【００１５】
アンダーキャップを着用する時にゴムバンドの部分は後頭部の位置に置かれ、パッドは額に置かれ、ゴムバンドは帽体の縁部の弛みを調整する役割を果たせることで、アンダーキャップを頭部の適切な位置に固定させることができる；パッドは安全ヘルメットと額との間を隔離する役割を果たし、安全ヘルメットの着用快適性を向上させることができる。
【００１６】
図2は本考案の他の実施形態に係る安全ヘルメットの使い捨てアンダーキャップの構造を概略的に示す。
【００１７】
図2に示すように、該安全ヘルメットの使い捨てアンダーキャップは帽体20と 、パッド10と、ゴムバンド30とを含む。
【００１８】
パッド10及びゴムバンド30は首尾接続されて環状を呈し、帽体20の縁部に設置される。
【００１９】
パッド10上には縦方向に沿って補強リブ11が設置される。補強リブ11はアンダーキャップの使用中にパッド10が捲縮されることを防ぐことができる
【００２０】
図3は本考案のさらなる実施形態に係る安全ヘルメットの使い捨てアンダーキャップの構造を概略的に示す。
【００２１】
図3に示すように、ヘルメットは、帽体20と、パッドベルト10と、ゴムバンド30とを含む。パッド10上には縦方向に沿って補強リブ11が設置される。パッド10の縁部にはシリコーンストリップ12が設置される。シリコーンストリップ12はパッド着用中のパッド10と皮膚との摩擦力を増加させ、アンダーキャップの脱落を防ぐことができる。
【００２２】
図4は本考案のさらに他の実施形態に係る安全ヘルメットの使い捨てアンダーキャップの構造を概略的に示す。
【００２３】
図4に示すように、該安全ヘルメットは、帽体20と、パッド10と、ゴムバンド30とを含む。パッド10上には縦方向に沿って補強リブ11が設置される。パッド10の両側には下顎ベルト40が設置される。気温が高い時に安全ヘルメットを着用すると汗がたくさん出てしまい、汗がヘルメットの下顎の結束ベルトに沿って流れ落ちるため、汗じみと異臭が発生することを免れない。キャップの下部には下顎ベルトが設置され、汗を吸収することができる一方、ヘルメットが複数の人に相互に使用される衛生問題を回避することができる。
【００２４】
上記の実施例において、帽体20はいずれも親水性不織布材質を採用することができる。帽体20は単層親水性不織布に設置し、パッド10は少なくとも二層の親水性不織布に設置することができる。帽体20は単層親水性不織布を採用して通気性をよりよくさせ、帽体20は二層又は多層の親水性不織布を採用することで快適性をよりよくさせる、同時により優れた吸湿排汗、緩衝隔離の作業を有する。他の実施例において、帽体20及びパッド10は綿布、麻布又は他の繊維生地を採用してもよい。
【００２５】
上記の説明は本考案のいくつかの実施形態であり、本考案の構想を限定するものではない。当業者にとって、本考案の構想から逸脱することなく、さらにいくつかの修正および改良を行うことができる、これらは全て本考案の保護範囲に属する。
【図１】
0003222868.tif 000003
【図２】
0003222868.tif 000004
【図３】
0003222868.tif 000005
【図４】
0003222868.tif 000006